【手続補正書】
【提出日】平成20年6月27日(2008.6.27)
【手続補正１】
【補正対象書類名】明細書
【補正対象項目名】特許請求の範囲
【補正方法】変更
【補正の内容】
【特許請求の範囲】    【請求項１】ねじ回し装置を受け入れるための頭部と、  ある長さを有し、かつ、前記頭部から延出している軸部とを備えてなる医療用ねじであって、前記軸部が、ねじ部と、前記ねじを予備穿孔された移植部位の中へ導入するための案内用遠位先端とを含んでいる医療用ねじ。    【請求項２】前記医療用ねじの前記ねじ部が、第１直径を有している第１組のらせん状ねじ山と、前記の第１組のらせん状ねじ山が挿し挟まれ、かつ、第２直径を有している第２組のらせん状ねじ山とからなり、前記第２直径が前記第１直径とは異なっている請求項１に記載の医療用ねじ。    【請求項３】前記案内用遠位先端が、ある点で終わっている請求項１に記載の医療用ねじ。    【請求項４】前記案内用遠位先端が、面取り面で終わっている請求項１に記載の医療用ねじ。    【請求項５】前記頭部が、六角形、正方形および長方形の頭部の１つとして構成されている請求項１に記載の医療用ねじ。    【請求項６】前記頭部が、縫合糸を受け入れるための少なくとも１個の鳩目を備えている請求項１に記載の医療用ねじ。    【請求項７】前記医療用ねじが、少なくとも１本の抗回転溝をさらに備え、前記抗回転溝が、骨成長を受け入れるように構成されている請求項１に記載の医療用ねじ。    【請求項８】前記医療用ねじが、少なくとも１つの抗回転歯をさらに備え、前記抗回転歯が、前記抗回転溝の近くにある請求項７に記載の医療用ねじ。    【請求項９】前記軸部が、円筒形である請求項１に記載の医療用ねじ。    【請求項１０】前記軸部が、前記頭部から先細にされ、かつ、ある点で終わっている請求項１に記載の医療用ねじ。    【請求項１１】前記軸部が、円筒形部分と先細部分とからなっている請求項１に記載の医療用ねじ。    【請求項１２】前記の第１組および第２組のらせん状ねじ山の少なくとも一方が、前記軸部に沿って前記頭部から先細にされている請求項２に記載の医療用ねじ。    【請求項１３】前記の第１組および第２組のらせん状ねじ山の少なくとも一方の厚さが、前記軸部の一部分に沿って減少している請求項２に記載の医療用ねじ。    【請求項１４】前記の第１組のらせん状ねじ山が、前記軸部に対して第１角度で構成された上面と、前記軸部に対して第２角度で構成された下面とを有し、前記の第２組のらせん状ねじ山が、前記軸部に対して第１角度で構成された上面と、前記軸部に対して第２角度で構成された下面とを有し、前記の第１組のらせん状ねじ山の前記第１角度および前記第２角度の少なくとも一方が、前記の第２組のらせん状ねじ山の前記第１角度および前記第２角度の少なくとも一方と異なっている請求項２に記載の医療用ねじ。    【請求項１５】前記の第１組および第２組のらせん状ねじ山が、前記軸部に対して第１角度で構成された上面と、前記軸部に対して第２角度で構成された下面とを有し、前記の第１組のらせん状ねじ山の前記第１角度および前記第２角度と、前記の第２組のらせん状ねじ山の前記第１角度および前記第２角度との少なくとも一方が、前記軸部に沿って変化している請求項２に記載の医療用ねじ。    【請求項１６】前記医療用ねじの前記ねじ部が、前記軸部に沿って直径の変化する一組のらせん状ねじ山からなっている請求項１に記載の医療用ねじ。    【請求項１７】前記の第１組のらせん状ねじ山が、第１ピッチを有し、かつ、前記の第２組のらせん状ねじ山が、第２ピッチを有し、前記第１ピッチおよび前記第２ピッチの少なくとも一方が、前記軸部に沿って変化している請求項２に記載の医療用ねじ。    【請求項１８】ねじ回し装置を受け入れるための頭部と、  ある長さを有し、かつ、前記頭部から延出している軸部とを備えてなる医療用ねじであって、前記軸部が、ねじ部と、骨成長を受け入れるように構成された抗回転溝とを含んでいる医療用ねじ。    【請求項１９】前記軸部が、前記ねじ部に近くかつ前記医療用ねじを予備穿孔された移植部位の中へ導入するように構成された案内用遠位先端をさらに備えている請求項１８に記載の医療用ねじ。    【請求項２０】前記医療用ねじの前記ねじ部が、第１直径を有している第１組のらせん状ねじ山と、前記の第１組のらせん状ねじ山が挿し挟まれ、かつ、第２直径を有している第２組のらせん状ねじ山とからなり、前記第２直径が前記第１直径とは異なっている請求項１８に記載の医療用ねじ。    【請求項２１】前記案内用遠位先端が、ある点で終わっている請求項１９に記載の医療用ねじ。    【請求項２２】前記案内用遠位先端が、面取り面で終わっている請求項１９に記載の医療用ねじ。    【請求項２３】前記頭部が、六角形、正方形および長方形の頭部の１つとして構成されている請求項１８に記載の医療用ねじ。    【請求項２４】前記頭部が、縫合糸を受け入れるための少なくとも１個の鳩目を備えている請求項１８に記載の医療用ねじ。    【請求項２５】前記医療用ねじが、少なくとも１つの抗回転歯をさらに備え、前記抗回転歯が、前記抗回転溝の近くにある請求項１８に記載の医療用ねじ。    【請求項２６】前記軸部が、円筒形である請求項１８に記載の医療用ねじ。    【請求項２７】前記軸部が、前記頭部から先細にされ、かつ、ある点で終わっている請求項１８に記載の医療用ねじ。    【請求項２８】前記軸部が、円筒形部分と先細部分とからなっている請求項１８に記載の医療用ねじ。    【請求項２９】前記の第１組および第２組のらせん状ねじ山の少なくとも一方が、前記軸部に沿って前記頭部から先細にされている請求項２０に記載の医療用ねじ。    【請求項３０】前記の第１組および第２組のらせん状ねじ山の少なくとも一方の厚さが、前記軸部の一部分に沿って減少している請求項２０に記載の医療用ねじ。    【請求項３１】前記の第１組のらせん状ねじ山が、前記軸部に対して第１角度で構成された上面と、前記軸部に対して第２角度で構成された下面とを有し、前記の第２組のらせん状ねじ山が、前記軸部に対して第１角度で構成された上面と、前記軸部に対して第２角度で構成された下面とを有し、前記の第１組のらせん状ねじ山の前記第１角度および前記第２角度の少なくとも一方が、前記の第２組のらせん状ねじ山の前記第１角度および前記第２角度の少なくとも一方と異なっている請求項２０に記載の医療用ねじ。    【請求項３２】前記の第１組および第２組のらせん状ねじ山が、前記軸部に対して第１角度で構成された上面と、前記軸部に対して第２角度で構成された下面とを有し、前記の第１組のらせん状ねじ山の前記第１角度および前記第２角度と、前記の第２組のらせん状ねじ山の前記第１角度および前記第２角度との少なくとも一方が、前記軸部に沿って変化している請求項２０に記載の医療用ねじ。    【請求項３３】前記医療用ねじの前記ねじ部が、前記軸部に沿って直径の変化する一組のらせん状ねじ山からなっている請求項１８に記載の医療用ねじ。    【請求項３４】前記の第１組のらせん状ねじ山が、第１ピッチを有し、かつ、前記の第２組のらせん状ねじ山が、第２ピッチを有し、前記第１ピッチおよび前記第２ピッチの少なくとも一方が、前記軸部に沿って変化している請求項２０に記載の医療用ねじ。    【請求項３５】軸部を有してなる医療用ねじであって、前記軸部が、  ねじ部と、  前記ねじ部に隣接し、前記ねじを予備穿孔された移植部位の中へ導入するように構成された案内用遠位先端と、  ねじ回し装置を受け入れるための長孔とを備えている医療用ねじ。    【請求項３６】前記医療用ねじの前記ねじ部が、第１直径を有している第１組のらせん状ねじ山と、前記の第１組のらせん状ねじ山が挿し挟まれ、かつ、第２直径を有している第２組のらせん状ねじ山とからなり、前記第２直径が前記第１直径とは異なっている請求項３５に記載の医療用ねじ。    【請求項３７】前記案内用遠位先端が、ある点で終わっている請求項３５に記載の医療用ねじ。    【請求項３８】前記案内用遠位先端が、面取り面で終わっている請求項３５に記載の医療用ねじ。    【請求項３９】前記医療用ねじが、少なくとも１本の抗回転溝をさらに備え、前記抗回転溝が、骨成長を受け入れるように構成されている請求項３５に記載の医療用ねじ。    【請求項４０】前記軸部が、縫合糸を受け入れるための少なくとも１個の鳩目をさらに備えている請求項３５に記載の医療用ねじ。    【請求項４１】前記医療用ねじが、少なくとも１つの抗回転歯をさらに備え、前記抗回転歯が、前記抗回転溝の近くにある請求項３９に記載の医療用ねじ。    【請求項４２】前記軸部が、円筒形である請求項３５に記載の医療用ねじ。    【請求項４３】前記軸部が、先細にされ、かつ、ある点で終わっている請求項３５に記載の医療用ねじ。    【請求項４４】前記軸部が、円筒形部分と先細部分とからなっている請求項３５に記載の医療用ねじ。    【請求項４５】前記軸部が、近位端と遠位端とを有し、前記の第１組および第２組のらせん状ねじ山の少なくとも一方が、前記軸部の前記近位端から前記遠位端の近くまで先細にされている請求項３６に記載の医療用ねじ。    【請求項４６】前記の第１組および第２組のらせん状ねじ山の少なくとも一方の厚さが、前記軸部の一部分に沿って減少している請求項３６に記載の医療用ねじ。    【請求項４７】前記の第１組のらせん状ねじ山が、前記軸部に対して第１角度で構成された上面と、前記軸部に対して第２角度で構成された下面とを有し、前記の第２組のらせん状ねじ山が、前記軸部に対して第１角度で構成された上面と、前記軸部に対して第２角度で構成された下面とを有し、前記の第１組のらせん状ねじ山の前記第１角度および前記第２角度の少なくとも一方が、前記の第２組のらせん状ねじ山の前記第１角度および前記第２角度の少なくとも一方と異なっている請求項３６に記載の医療用ねじ。    【請求項４８】前記の��１組および第２組のらせん状ねじ山が、前記軸部に対して第１角度で構成された上面と、前記軸部に対して第２角度で構成された下面とを有し、前記の第１組のらせん状ねじ山の前記第１角度および前記第２角度と、前記の第２組のらせん状ねじ山の前記第１角度および前記第２角度との少なくとも一方が、前記軸部に沿って変化している請求項３６に記載の医療用ねじ。    【請求項４９】前記医療用ねじの前記ねじ部が、前記軸部に沿って直径の変化する一組のらせん状ねじ山からなっている請求項３５に記載の医療用ねじ。    【請求項５０】前記の第１組のらせん状ねじ山が、第１ピッチを有し、かつ、前記の第２組のらせん状ねじ山が、第２ピッチを有し、前記第１ピッチおよび前記第２ピッチの少なくとも一方が、前記軸部に沿って変化している請求項３６に記載の医療用ねじ。    【請求項５１】軸部を有してなる医療用ねじであって、前記軸部が、  ねじ部と、  骨成長を受け入れるように構成された少なくとも１本の抗回転溝と、  ねじ回し装置を受け入れるための長孔とを備えている医療用ねじ。    【請求項５２】前記医療用ねじの前記ねじ部が、第１直径を有している第１組のらせん状ねじ山と、前記の第１組のらせん状ねじ山が挿し挟まれ、かつ、第２直径を有している第２組のらせん状ねじ山とからなり、前記第２直径が前記第１直径とは異なっている請求項５１に記載の医療用ねじ。    【請求項５３】前記軸部が、縫合糸を受け入れるための少なくとも１個の鳩目をさらに備えている請求項５１に記載の医療用ねじ。    【請求項５４】前記医療用ねじが、少なくとも１つの抗回転歯をさらに備え、前記抗回転歯が、前記抗回転溝の近くにある請求項５１に記載の医療用ねじ。    【請求項５５】前記軸部が、円筒形である請求項５１に記載の医療用ねじ。    【請求項５６】前記軸部が、先細にされ、かつ、ある点で終わっている請求項５１に記載の医療用ねじ。    【請求項５７】前記軸部が、円筒形部分と先細部分とからなっている請求項５１に記載の医療用ねじ。    【請求項５８】前記軸部が、近位端と遠位端とを有し、前記の第１組および第２組のらせん状ねじ山の少なくとも一方が、前記軸部の前記近位端から前記遠位端の近くまで先細にされている請求項５２に記載の医療用ねじ。    【請求項５９】前記の第１組および第２組のらせん状ねじ山の少なくとも一方の厚さが、前記軸部の一部分に沿って減少している請求項５２に記載の医療用ねじ。    【請求項６０】前記の第１組のらせん状ねじ山が、前記軸部に対して第１角度で構成された上面と、前記軸部に対して第２角度で構成された下面とを有し、前記の第２組のらせん状ねじ山が、前記軸部に対して第１角度で構成された上面と、前記軸部に対して第２角度で構成された下面とを有し、前記の第１組のらせん状ねじ山の前記第１角度および前記第２角度の少なくとも一方が、前記の第２組のらせん状ねじ山の前記第１角度および前記第２角度の少なくとも一方と異なっている請求項５２に記載の医療用ねじ。    【請求項６１】前記の第１組および第２組のらせん状ねじ山が、前記軸部に対して第１角度で構成された上面と、前記軸部に対して第２角度で構成された下面とを有し、前記の第１組のらせん状ねじ山の前記第１角度および前記���２角度と、前記の第２組のらせん状ねじ山の前記第１角度および前記第２角度との少なくとも一方が、前記軸部に沿って変化している請求項５２に記載の医療用ねじ。    【請求項６２】前記医療用ねじの前記ねじ部が、前記軸部に沿って直径の変化する一組のらせん状ねじ山からなっている請求項５１に記載の医療用ねじ。    【請求項６３】前記の第１組のらせん状ねじ山が、第１ピッチを有し、かつ、前記の第２組のらせん状ねじ山が、第２ピッチを有し、前記第１ピッチおよび前記第２ピッチの少なくとも一方が、前記軸部に沿って変化している請求項５２に記載の医療用ねじ。